(57)【要約】      （修正有）【課題】伸長操作により伸長しても引出されることなく固定を迅速に行うことのできるよう操作紐を係回し配索し得る伸縮式梯子体の提供。【解決手段】第一梯子１０と第一梯子に収容し伸縮し得る第二梯子２０と第二梯子に収容し伸縮し得る第三梯子３０とよりなり、第一梯子の下端部には脚部３を具え、第一梯子の上端部及び下端部と第二梯子の上端部及び下端部とに操作紐を係回し得る係回部１３、１４、２３、２４を具え、第三梯子の下端部には操作紐の始端を結着し得る始端結着部３３及び操作紐の終端を結着し得る終端結着部３４を具え、且つ、第一梯子下端部の係回部は係回した操作紐を挟掴して固定し得る偏心駒を具え、偏心駒には操作部を具え、第三梯子の下端部に螺子伸縮継手を介して終端結着部を接続してあり、更に、各梯子体を掛止して固定し得る掛止機構４０を具える。【選択図】図１
0003109801.tif 000002
【実用新案登録請求の範囲】
【請求項１】
第一梯子と該第一梯子に収容し伸縮し得る第二梯子とよりなり、第一梯子の下端部には脚部を具え、第一梯子の上端部及び下端部には操作紐を係回し得る係回部を具え、第二梯子の下端部には操作紐の始端を結着し得る始端結着部及び操作紐の終端を結着し得る終端結着部を具え、操作紐の始端を始端結着部に結着し、次いで第一梯子の上端部の係回部に係回し、次いで第一梯子の下端部の係回部に係回し、次いで終端を第二梯子の下端部の終端結着部に結着し、該操作紐による伸長操作もしくは短縮操作をし得ることを特徴とする伸縮式梯子体。
【請求項２】
第一梯子と該第一梯子に収容し伸縮し得る第二梯子と該第二梯子に収容し伸出し得る第三梯子とよりなり、第一梯子の下端部には脚部を具え、第一梯子の上端部及び下端部と第二梯子の上端部及び下端部とに操作紐を係回し得る係回部を具え、第三梯子の下端部には操作紐の始端を結着し得る始端結着部及び操作紐の終端を結着し得る終端結着部を具え、操作紐の始端を始端結着部に結着し、次いで第二梯子の上端部の係回部に係回し、次いで第二梯子の下端部の係回部に係回し、次いで第一梯子の上端部の係回部に係回し、次いで第一梯子の下端部の係回部に係回し、次いで終端を第三梯子の下端部の終端結着部に結着し、該操作紐による伸長操作もしくは短縮操作をし得ることを特徴とする伸縮式梯子体。
【請求項３】
前記の第一梯子の下端部の係回部には、操作紐を係回し得る偏心駒を枠体内に具え、操作紐を枠体内壁と偏心駒との間隙に挿通して偏心駒に係回し、偏心駒を操作紐の終端乃至始端方向の移動により従回動せしめ、操作紐を偏心駒と枠体内壁とにより挟掴し得ることを特徴とする、請求項１又は２の何れかに記載の伸縮式梯子体。
【請求項４】
前記の第一梯子の下端部の係回部には、偏心駒にこれを回動せしめる操作部を具えることを特徴とする請求項３に記載の伸縮式梯子体。
【請求項５】
前記の第三梯子の下端部には、螺子伸縮継手を介して始端結着部を接続してあり、螺子伸縮継手の回転により、第三梯子の下端部と始端結着部との間隔の調節をし得ることを特徴とする請求項１乃至４の何れかに記載の伸縮式梯子体。
【請求項６】
前記の各梯子体を掛止して固定し得る、枠体内より弾性的に付勢された掛止爪の突出する掛止機構を具えることを特徴とする、請求項１乃至５の何れかに記載の伸縮式梯子体。
【考案の詳細な説明】
【技術分野】
【０００１】
本考案は伸縮式梯子体に関し、該梯子体の伸縮操作をする操作紐の配索及びその固定装置について成されたものである。
【背景技術】
【０００２】
伸縮式梯子体は所要複数の梯子体よりなり、これを伸縮し得るように順次収容してなるものであり、主として、高所における火災時の消火活動や人命救助の活動には、縦枠と横枠とを箱状に枠組みしてなる梯子体を、これを順次小寸としたものを収容し、二連または三連の伸縮式梯子体としたものが用いられ、これを所望の高さに伸長し架け渡し、昇降する使用者の重さと自重とで伸出した梯子体が落下して短縮しないよう各梯子体を固定し、使用者が昇降面を昇降して用い、望ましくはその際に他の使用者がこれを安定状に支持して用いる。
【０００３】
この二連の伸縮式梯子体は、第一梯子と該第一梯子に収容し伸縮し得る第二梯子とよりなり、第一梯子の下端部に具える脚部により設置面に立設状とし、第二梯子を第一梯子より伸出してその全長を適宜長さとして用いるものであり、その全長は、伸縮式梯子体を使用者が昇降するに好適な水平な設置面に対して概ね７５度の角度を以って立設状としたときに、設置面からの必要な高さに架け得るようにしてあり、例えば、第一梯子に第二梯子を収容し最短に短縮したときに概ね３．５ｍとなり、第一梯子より第二梯子を伸出し最長に伸長したときに概ね６．０ｍとなるようにしてあり、先端を一般的な住宅の二階のバルコニーの手摺りに架け得るようにしてある。
【０００４】
又、三連の伸縮式梯子体は、第一梯子と該第一梯子に順次収容し伸縮し得る第二梯子と第三梯子とよりなり、第一梯子の下端部に具える脚部により設置面に立設状とし、第二梯子と第三梯子を第一梯子より順次伸出してその全長を適宜長さとして用いるものであり、その全長は、伸縮式梯子体を使用者が昇降するに好適な水平な設置面に対して概ね７５度の角度を以って立設状としたときに、設置面からの必要な高さに架け得るようにしてあり、例えば、第一梯子に第二梯子と第三梯子とを順次収容し最短に短縮したときに概ね３．５ｍとなり、第一梯子より第二梯子と第三梯子とを順次伸出し最長に伸長したときに概ね８．７ｍとなるようにしてあり、先端を一般的な住宅の三階のバルコニーの手摺りに架け得るようにしてある。
【０００５】
これらの伸縮式梯子体の伸長または短縮の操作は操作紐により行い、二連の伸縮式梯子体にあっては、操作紐の始端を第二梯子の下端部に結着し、次いで第一梯子の上端部の滑車に係回して反転し、その終端側を操作部として操作し、三連の伸縮式梯子体にあっては、操作紐の始端を第三梯子の下端部に結着し、次いで第二梯子の上端部の滑車に係回して反転し、次いで第二梯子の下端部の滑車に係回して反転し、次いで第一梯子の上端部の滑車に係回して反転して配索し、その終端側を操作部として操作し、該操作部を操作紐の始端乃至終端方向に引いて伸長し、終端乃至始端方向に戻して短縮し、その全長を所望の長さとする。
【０００６】
そして、伸縮式梯子体の第一梯子より所望の長さ伸出した梯子体は、使用者が昇降するに際して降下することのないように、好ましくは使用者等が該操作紐の結着を十分に確認し得るようその胸元の高さで、操作紐の操作部を第一梯子に結着して固定し、伸出した梯子体の降下を防止して使用者が昇降し得る状態となる。
【０００７】
ところで、係る伸縮式梯子体には、二連の伸縮式梯子にあっては、第一梯子の上端部の両側に、三連の伸縮式梯子にあっては、第一梯子の上端部の両側と第三梯子の下端部の両側に、枠体内より弾性的に付勢された掛止爪の突出する掛止機構を設け、伸縮式梯子体の各梯子体を其々の間で掛止して固定することにより、第一梯子より所望の長さ伸長した梯子体の降下を防ぐようにしたものが知られており、これについて、数次の改良が施され実施されており、本考案者もこれについて改良を施している（例えば、特許文献１、特許文献２参照。）。
【０００８】
ところで一般には、この掛止機構のみにより伸縮式梯子体の各梯子体を固定することは望ましくなく、係る掛止が確実になされていなければ昇降する使用者等が梯子体の横枠に手を挟み込みする等の事故に繋がることから、掛止機構が故障や誤操作によりその掛止爪が作動していないときを想定して、伸縮式梯子体の各梯子体を他の固定方法と併せて二重に固定することが望ましく、消防学校での指導に供されている消防器具及び設備の使用方法について記載してある所謂消防操法には、上述のような従来の伸縮式梯子体の操作方法として、伸縮式梯子体の各梯子体の固定を、該掛止機構による固定と前記の操作紐の結着による固定とを併せて行うよう記載してある。
【特許文献１】特開平１１−１４８２８５
【特許文献２】特開２００２−２２７５７７
【考案の開示】
【考案が解決しようとする課題】
【０００９】
しかしながら、上述の伸縮式梯子体は、操作紐の操作部を引いて操作し伸長した際に、伸長した長さと同等の長さの操作紐が、該伸縮式梯子体より引出されることとなる為に、これが操作や使用の最中において、伸縮式梯子体の各梯子に亘り絡まり、各梯子の間に挟込まれ、該伸縮式梯子体の伸長や短縮の妨げとなり、或いは使用者の体に絡まり、昇降や操作の妨げとなることがある。
【００１０】
又、前述の如く各梯子体を固定する掛止機構を具えていても、これまで一般には、併せて操作紐の操作部を第一梯子に結着して固定することが望ましいとされており、最短に短縮したときに概ね３．５ｍとなり、最長に伸長したときに概ね８．７ｍとなる三連の伸縮式梯子体を最長に伸長した場合にあっては、該結着作業には、この作業に熟練の使用者によっても１５秒間を要することとなる。
【００１１】
然るに、係る伸縮式梯子体の使用される高所における火災時の消火活動や人命救助の活動においては、これに専念し得るように、操作紐に煩わされることなく、操作紐の迅速な固定をし得ることが望まれている。
【００１２】
そこで本考案は、伸長操作により伸長しても引出されることなく、更に第一梯子への固定を迅速に行うことのできるよう操作紐を係回し得る伸縮式梯子体を提供することを、その解決すべき課題とする。
【課題を解決するための手段】
【００１３】
上述の課題を解決するために本考案による伸縮式梯子体は、第１の構成として、第一梯子と該第一梯子に収容し伸縮し得る第二梯子とよりなり、第一梯子の下端部には脚部を具え、第一梯子の上端部及び下端部には操作紐を係回し得る係回部を具え、第二梯子の下端部には操作紐の始端を結着し得る始端結着部及び操作紐の終端を結着し得る終端結着部を具え、操作紐の始端を始端結着部に結着し、次いで第一梯子の上端部の係回部に係回し、次いで第一梯子の下端部の係回部に係回し、次いで終端を第二梯子の下端部の終端結着部に結着し、該操作紐による伸長操作もしくは短縮操作をし得ることとし、或いは、第２の構成として、第一梯子と該第一梯子に収容し伸縮し得る第二梯子と該第二梯子に収容し伸縮し得る第三梯子とよりなり、第一梯子の下端部には脚部を具え、第一梯子の上端部及び下端部と第二梯子の上端部及び下端部とに操作紐を係回し得る係回部を具え、第三梯子の下端部には操作紐の始端部を結着し得る始端結着部及び操作紐の終端部を結着し得る終端結着部を具え、操作紐の始端を始端結着部に結着し、次いで第二梯子の上端部の係回部に係回し、次いで第二梯子の下端部の係回部に係回し、次いで第一梯子の上端部の係回部に係回し、次いで第一梯子の下端部の係回部に係回し、次いで終端を第三梯子の下端部の終端結着部に結着し、該操作紐による伸長操作もしくは短縮操作をし得ることとしてある。
【００１４】
望ましくは、第３の構成として、前記の第１又は第２の何れかの構成に加え、第一梯子の下端部の係回部には、操作紐を係回し得る偏心駒を枠体内に具え、操作紐を枠体内壁と偏心駒との間隙に挿通して偏心駒に係回し、偏心駒を操作紐の終端乃至始端方向の移動により従回動せしめ、操作紐を偏心駒と枠体内壁とにより挟掴し得ることとしてあり、第４の構成として、前記の第３の構成に加え、第一梯子の下端部の係回部には、偏心駒にこれを回動せしめる操作部を具えることとしてあるとよい。
【００１５】
又、第５の構成として、前記の第１乃至第４の何れかの構成に加え、第三梯子の下端部には、螺子伸縮継手を介して始端結着部を接続してあり、螺子伸縮継手の回転により、第三梯子の下端部と始端結着部との間隔の調節をし得ることとしてあるとよい。
【００１６】
又、第６の構成として、前記の第１乃至第５の何れかの構成に加え、各梯子体を掛止して固定し得る、枠体内より弾性的に付勢された掛止爪の突出する掛止機構を具えることとしてあるとよい。
【考案の効果】
【００１７】
本考案による伸縮式梯子体は、前記の第１又は第２の構成としたことにより、係回した操作紐が、その始端乃至終端方向に操作する伸長操作によっても、終端が終端結着部に結着してあることから、該終端結着部の移動に伴い操作紐が伸縮式梯子体より引出されることがなく使用することが可能となる。
【００１８】
又、前記の第３の構成としたことにより、伸縮式梯子体より伸出した梯子体が自重により降下するときに、操作紐の終端乃至始端方向の移動により、これを掛回した偏心駒が従回動して、該操作紐が偏心駒とその枠体の内壁とにより挟掴され固定状となり、前記の第４の構成としたことにより、操作紐を枠体の内壁とにより挟掴して固定状とした偏心駒を、その操作部を例えば使用者が足により踏み操作することにより、強制的に回動せしめて操作紐を自由に移動可能な状態とし、円滑に伸縮式梯子体の短縮操作をすることが可能となる。
【００１９】
又、前記の第５の構成としたことにより、伸縮式梯子体に始端結着部及び終端結着部に結着し、各係回部に係回して配索した操作紐を、弛緩なく適度に緊張状となるよう調節し得、操作紐の全長が気温や湿度により変化しても、始端結着部又は終端結着部への結着を解き、これを緊張状として再度結着し直すことなく、これを緊張状に保つことが可能となる。
【００２０】
又、前記の第６の構成としたことにより、掛止機構により伸長した伸縮式梯子体を迅速に固定することができ、特に第３又は４の構成を具えた伸縮式梯子体は、該掛止機構と併せて二重の固定手段を具えるものとなり、その各梯子体を確実に固定することができる。
【００２１】
上述の如く、本考案による伸縮式梯子体は、伸長時に余剰した操作紐に煩わされることなく、又、操作紐を迅速に固定することが可能であり、特に高所における火災時の消火活動や人命救助の活動に相応しいものとなる。
【考案を実施するための最良の形態】
【００２２】
本考案による伸縮式梯子体１のうち、最良の形態として三連梯子としたものについて、伸縮式梯子体１を最長に伸長したときの全体正面図を図１として示し、該伸縮式梯子体１の、第三梯子３０の一部省略による斜視図を図２として、第二梯子２０の一部省略による斜視図を図３として、第一梯子１０の一部省略による斜視図を図４として、伸縮式梯子体１にこれを操作する操作紐２を配索し伸長し最長としたときの、第二梯子２０の上端部と第三梯子３０の下端部と操作紐２との係りの概要を図５として、第一梯子１０の上端部と第二梯子２０の下端部と操作紐２との係りの概要を図６として、第一梯子１０の下端部と操作紐２との係りの概要を図７として示し、伸縮式梯子体１に設ける掛止機構４０の概要を示す断面図を図８として示し、操作紐２を掴持し得るようにした第一梯子１０の下端部の係回部１４の概要を示す断面図を図９として示し、これらを用いて図示しつつ、以下に詳説する。
【００２３】
本考案による三連の伸縮式梯子体１は、図１に示すように、第一梯子１０と第二梯子２０と第三梯子３０を具え、これら各梯子体１０，２０，３０は、図２乃至図４に示すように、其々、両側に長手方向に上端乃至下端に亘り縦枠１１，２１，３１を具え、これと直交状の所要複数の横枠１２，２２，３２を具え、外形を概ね直方体としてある。
【００２４】
そして、これらの各梯子体１０，２０，３０は、図１又は図５乃至図７に示すように、第一梯子１０の内部に第二梯子２０を収容し、第二梯子２０の内部に第三梯子３０を収容し得るよう、順次小寸としてあり、望ましくは、第一梯子１０には、これを設置面に立設状としたときの下端部に、該設置面に接触する脚部３を設けてあり、両側に使用者が使用や運搬のときに把持する把持部４を設けてある。
【００２５】
又、これらの各梯子体１０，２０，３０は、第一梯子１０にはその内部に第二梯子２０を収容し、第二梯子２０にはその内部に第三梯子３０を収容し、第二梯子２０、第三梯子３０は、其々を収容する梯子体１０，２０より伸縮し得るようにしてあり、好ましくは、これらの各梯子体１０，２０，３０が互いに接触すること無く円滑に伸出し得るように、それらの内側或いは外側に所要複数の車輪を設けてあり、該車輪を介して各梯子体２０，３０が其々を収容する梯子体１０，２０の内部に一定のを間隙を以って保持されていることが好ましい。
【００２６】
加えて、これらの各梯子体１０，２０，３０は、其々の縦枠１１，２１，３１と横枠１２，２２，３２とを、強質であって腐蝕し難く、好ましくは軽量の金属管を用い、例えば、チタン、アルミニウム、ステンレスよりなる管体を用い、其々の縦枠１１，２１，３１と横枠１２，２２，３２とを溶接等して組み立て、必要に応じて補強枠を設けることにより、荷重による変形を最小限とした強質の第一梯子１０、第二梯子２０、第三梯子３０としてある。
【００２７】
尚、高所における火災時の消火活動や人命救助の活動に用いる伸縮式梯子体１としては、消防隊員のようにガスタンク等の重い装備品を伴った者が素早く昇降して使用することがあることから、その荷重により変形をして伸縮動作に支障を生じることの無いように、上述の如く各梯子体１０，２０，３０を概ね直方体として構成され立体的な外形を有する梯子体としてあることが望ましいが、本考案は、これのみに係ることは無く、これらの各梯子体１０，２０，３０を、その何れか或いは全てを、概ね正面の縦枠と横枠とより構成した平面的な外形を有する梯子体として、例えば、第一梯子１０には第二梯子２０を長さ方向に摺動し得るよう嵌入する縦溝を設けて、第一梯子１０の縦溝に第二梯子２０を嵌装し、該第二梯子２０を第一梯子１０に沿って平行状に収容し得ることとし、第二梯子２０に第三梯子３０を長さ方向に摺動し得るよう嵌入する縦溝を設けて、第二梯子２０の縦溝に第三梯子３０を嵌装し、該第三梯子３０を第一梯子１０に沿って平行状に収容し得ることとした、全長を伸長又は短縮をし得る伸縮式梯子体１としてもよく、その他、従来よりある全長を伸長又は短縮し得る伸縮式梯子体１について適用し得るものである。
【００２８】
一方、図１、図５又は図６に示すように、前記の第一梯子１０の上端部の両側と、第三梯子３０の下端部の両側には、掛止機構４０を設けてあることが望ましく、該掛止機構４０は、第一梯子１０の上端部の外部の両側において、その前面を第一梯子１０の内部方向に向け、第三梯子３０の上端部の内部の両側において、その前面を第三梯子３０の外部方向に向けて、枠体４１にその内部よりその前面に突出状として設けた掛止爪４２と押え板４３とが、第二梯子２０の両側に掛止又は接触し得るように各部に設けてあるとよい。
【００２９】
ところで、この掛止機構４０は、既に公知のものとして使用され、改良されて種々のものがあり、例えば図８に示すように、枠体４１と、該枠体４１の内部の上方に揺動可能に軸装し弾性的に付勢して該枠体４１の内部より前面に突出状としてある掛止爪４２と、該枠体４１の内部の下方に揺動可能に軸装し好ましくは弾性的に付勢して該枠体４１の内部より前面に突出状としてある押え板４３とよりなり、該掛止機構４０の前面において、相対的に上方より掛止爪４２及び押え板４３の双方を通過する横枠や、相対的に下方より掛止爪４２及び押え板４３の双方を通過する横枠には掛からず、相対的に上方より掛止爪４２のみを通過して押え板４３を通過することなく反転して、掛止爪４２を下方より通過せんとする横枠に該掛止爪４２が掛かり掛止状となり、該掛止状の横枠は更に反転して、押え板４３を上方より通過することにより解除し得るようにしてあるものがある。
【００３０】
前記の伸縮式梯子体１の伸長又は短縮の操作は、図１及び図５乃至図７に示すように、操作紐２により行い、該操作紐２は、麻、クレモナ、ナイロン等よりなる径が１２ｍｍ程のものが用いられ、その一端の始端を第三梯子３０の下端部に設けた始端結着部３３に結着し、次いで第二梯子２０と第三梯子３０との間隙を第三梯子３０の正面に沿い配索し、第二梯子２０の上端部に設けた係回部２３に係回し反転し、次いで第一梯子１０と第二梯子２０との間隙を第二梯子２０の正面に沿い配索し、第二梯子２０の下端部の係回部２４に係回し反転し、次いで第一梯子１０と第二梯子２０との間隙を第二梯子２０の正面に沿い配索し、第一梯子１０の上端部の係回部１３に係回し反転し、次いで第一梯子１０の正面に沿い配索し、第一梯子１０の下端部の係回部１４に係回し反転し、次いで第一梯子１０の内部に配索し、他端の終端を第三梯子３０の下端部の終端結着部３４に結着してある。
【００３１】
この始端結着部３３は、図２又は図５に示すように、第三梯子３０の最下の横枠３２に設けてあり、該始端結着部３３は螺子伸縮継手５０を介して横枠３２に接続してあり、始端結着部３３とこれを接続してある横枠３２との間隔を調整し得るようにしてあり、これを螺子伸縮継手５０を回転して調整し、伸縮式梯子体１に係回した操作紐２を、その全長が温度や湿度、経時により伸縮しても、始端結着部３３或いは終端結着部３４との結着を解き緊張状として再び結着することなく、容易に緊張状として調整し得ることが望ましい。
【００３２】
又、この螺子伸縮継手５０は、始端結着部３３と横枠３２の其々に互いに逆向に螺刻して対向状に設けた接続軸５１，５２と対応し螺入し得る其々の接続孔を一の軸線上に設けてあり、始端結着部３３と横枠３２とを、其々の接続軸５１，５２を螺子伸縮継手の其々の接続孔に螺入して接続し、該状態において螺子伸縮継手５０を正回転或いは逆回転して始端結着部３３とこれを接続してある横枠３２との間隔を調整し得るようにしてあるとよい。
【００３３】
又、各係回部２３，２４，１３，１４は、図３乃至図７に示すように、自由回動し得る滑車としてあり、好ましくは、第二梯子２０の上端部の係回部２３の滑車は、伸縮式梯子体１の正面に対して斜交状として、これに操作紐２を該第二梯子２０の内部から係回して反転し正面に配索し易くしてあり、第二梯子２０の下端部の係回部２４の滑車は、伸縮式梯子体１の正面に対して平行状として、これに操作紐２を該第二梯子２０の正面から係回して反転しまた正面に配索し易くしてあり、第一梯子１０の上端部の係回部１３の滑車は、伸縮式梯子体１の正面に対して直交状として、これに操作紐２を該第一梯子１０の内部から係回して反転し正面に配索し易くしてあり、第一梯子１０の下端部の係回部１４の滑車は、伸縮式梯子体１の正面に対して直交状として、これに操作紐２を該第一梯子１０の正面から係回して反転し内部に配索し易くしてあるとよい。
【００３４】
尚、第一梯子１０の下端部の係回部１４は、図９に示すように、伸縮式梯子体１を伸縮して適宜の長さにおいて固定し得るよう、これに係回した操作紐２を掴持し得ることが特に望ましく、枠体６０の内部に偏心駒６１をその偏心位置において揺動可能に軸着してあり、該枠体６０の内壁と偏心駒６１の側周とは操作紐２を挿通し得る間隙を有し、該間隙は偏心駒６１の揺動により狭窄状となり得るようにしてある。
【００３５】
そして、該第一梯子１０の下端部の係回部１４は、その間隙に挿通して係回した始端を始端結着部３３に結着し終端を終端結着部３４に結着した操作紐２が、始端乃至終端方向Ａに移動するときには偏心駒６１が従動して回動し、該間隙が該操作紐２の移動に十分な幅となり、終端乃至始端方向Ｂに移動するときには偏心駒６１が従動して回動し、該間隙が狭窄状となり該操作紐２の移動を妨げる幅となり、該操作紐２が掴持される。
【００３６】
これにより、伸縮式梯子体１の伸長をするときに操作紐２を始端乃至終端方向Ａに操作するときは、該操作紐２は円滑に第一梯子１０の下端部の係回部１４を移動し、一方、操作紐２が終端乃至始端方向Ｂに移動するときは、該操作紐２は第一梯子１０の下端部の係回部１４に掴持され、その移動が妨げられることとなり、伸縮式梯子体１より伸出した梯子体２０，３０の自重による降下を防止することができる。
【００３７】
更に、該第一梯子１０の下端部の係回部１４の偏心駒６１には、操作部６２を設けてあり、これを操作することにより、偏心駒６１を、その側周と枠体６０の内壁との間隙が操作紐２の移動に十分な幅となる位置に強制的に回動せしめ、該間隙に挿通した操作紐２を終端乃至始端方向Ｂに円滑に移動し得るようにして、伸縮式梯子体１の短縮をするときに操作紐２を終端乃至始端方向Ｂに円滑に操作することが望ましい。
【産業上の利用可能性】
【００３８】
上述の如く構成した本考案による伸縮式梯子体は、特に高所における火災時の消火活動や人命救助の活動に供するに相応しく、これに必要とされる二重の安全手段を兼ね備えつつ、簡便かつ迅速に所望の長さに伸縮し固定して使用することが可能である。
【図面の簡単な説明】
【００３９】
【図１】伸縮式梯子体の全体正面図
【図２】第三梯子の一部省略斜視図
【図３】第二梯子の一部省略斜視図
【図４】第一梯子の一部省略斜視図
【図５】第二梯子と第三梯子と操作紐との係りの概要斜視図
【図６】第一梯子と第二梯子と操作紐との係りの概要斜視図
【図７】第一梯子と操作紐との係りの概要斜視図
【図８】掛止機構の概要断面図
【図９】操作紐を掴持し得る係回部の概要断面図
【符号の説明】
【００４０】
１    伸縮式梯子体
２    操作紐
３    脚部
４    把持部
１０    第一梯子
１１    第一梯子縦枠
１２    第一梯子横枠
１３    第一梯子上端部係回部
１４    第一梯子下端部係回部
２０    第二梯子
２１    第二梯子縦枠
２２    第二梯子横枠
２３    第二梯子上端部係回部
２４    第二梯子下端部係回部
３０    第三梯子
３１    第三梯子縦枠
３２    第三梯子横枠
３３    第三梯子下端部始端結着部
３４    第三梯子下端部終端結着部
４０    掛止機構
４１    枠体
４２    掛止爪
４３    押え板
５０    螺子伸縮継手
５１    始端結着部接続軸
５２    横枠接続軸
６０    枠体
６１    偏心駒
６２    操作部
Ａ    始端乃至終端方向
Ｂ    終端乃至始端方向
【図１】
0003109801.tif 000003
【図２】
0003109801.tif 000004
【図３】
0003109801.tif 000005
【図４】
0003109801.tif 000006
【図５】
0003109801.tif 000007
【図６】
0003109801.tif 000008
【図７】
0003109801.tif 000009
【図８】
0003109801.tif 000010
【図９】
0003109801.tif 000011